(57)【要約】      （修正有）【課題】吐出された流動性薬剤の逆流を防止する薬剤注入器具を提供する。【解決手段】体内に挿入される長尺状の挿入部５２と、挿入部の他方端部に接続可能な口部を先端に有し、流動性薬剤を貯留する貯留容器と、挿入部の他方端部側に基端部が設けられ、貯留容器に接近離間する方向へ変位可能な押圧板５４を、貯留容器を挟んだ両側に一対備える押圧手段と、一対の押圧板と貯留容器との間に配置され、かつ、貯留部の側面部を挟持する一対の挟持片を有するホルダー部と、挿入部の内部に形成され、貯留容器から押し出された流動性薬剤が導かれる薬剤流路部と、薬剤流路部及び外部を連通する薬剤吐出孔５８とを備えており、一対の押圧板を、貯留部に近接する方向に変位させ、一対の挟持片を介して貯留容器に貯留される流動性薬剤を薬剤吐出孔から外部に吐出させた際に、一対の押圧板同士の離間を規制する押圧板離間規制手段を備える薬剤注入器具３００。【選択図】図４
2020103803.tif 000002
【特許請求の範囲】
【請求項１】
体内に流動性薬剤を注入する薬剤注入器具であって、
一方端側から体内に挿入される長尺状の挿入部と、
前記挿入部の他方端部に接続可能な口部を先端に有し、流動性薬剤が貯留される貯留容器と、
前記挿入部の他方端部側に基端部が設けられ、前記貯留容器に沿って伸びると共に前記貯留容器に接近離間する方向へ変位可能な押圧板を、前記貯留容器を挟んだ両側に一対備える押圧手段と、
前記一対の押圧板と前記貯留容器との間に配置され、かつ、前記貯留部の側面部を挟持する一対の挟持片を有するホルダー部と、
前記挿入部の内部に形成され、前記貯留容器から押し出された流動性薬剤が導かれる薬剤流路部と、
前記薬剤流路部及び外部を連通する薬剤吐出孔とを備えており、
前記一対の押圧板を、前記貯留部に近接する方向に変位させ、前記一対の挟持片を介して前記貯留容器に貯留される流動性薬剤を前記薬剤吐出孔から外部に吐出させた際に、前記一対の押圧板同士の離間を規制する押圧板離間規制手段を備えることを特徴とする薬剤注入器具。
【請求項２】
前記ホルダー部は、前記貯留容器の底部側に配置され、前記各挟持片の一方端が接続される接合部を備えており、
前記押圧板離間規制手段は、前記各押圧板に設けられる押圧板係合部と、前記接合部に設けられる接合部係合部とを備えており、
前記押圧板係合部と前記接合部係合部との係合によって、前記一対の押圧板同士の離間を規制することを特徴とする請求項１に記載の薬剤注入器具。
【請求項３】
前記押圧板係合部は、前記押圧板に形成される貫通孔であり、
前記接合部係合部は、前記貫通孔に挿入されて係着される係着爪を備えることを特徴とする請求項１又は２に記載の薬剤注入器具。
【請求項４】
前記薬剤流路部は、前記挿入部の他方端部で開口し、前記貯留容器の口部に接続可能な開口端部を備えており、
前記貯留容器の口部に前記薬剤流路部の開口端部が接続されていない未接続位置と、前記口部に前記薬剤流路部の開口端部が挿入されて接続する接続位置とを変更する位置可変手段を更に備えていることを特徴とする請求項１から３のいずれかに記載の薬剤注入器具。
【請求項５】
前記位置可変手段は、前記各挟持片から前記各押圧板に向けて突出する挟持片突起と、前記各押圧板に形成され、前記挟持片突起にマッチングする複数の位置決め孔とを備えており、
前記各位置決め孔は、前記未接続位置及び前記接続位置のそれぞれに対応する位置に形成されていることを特徴とする請求項４に記載の薬剤注入器具。
【発明の詳細な説明】
【技術分野】
【０００１】
本発明は、薬剤注入器具、特に、流動性薬剤を体内に注入する薬剤注入器具に関する。
【背景技術】
【０００２】
最近、様々な目的で人体内に多様な流動性薬剤を注入することが多い。たとえば、女性の性器を洗浄するための洗浄液を性器内に投与したり、避妊のための避妊薬液、痔疾・性病などの治療のための薬液を投与したりするなど、その活用態様は非常に多岐にわたる。
【０００３】
人体の性器および肛門などの内側は粘膜が露出する部分であることから、外部の刺激に非常に敏感であるので、粘膜が損傷あるいは汚染しやすい。よって、上記のような様々な流動性薬剤を投与するためには、細心の注意を払う必要がある。
【０００４】
従来、上記のような流動性薬剤を手作業で直接投与する不便を改善するために、人体内に流動性薬剤を投与可能な薬剤注入器具が考案されている。このような薬剤注入器具としては、例えば、特許文献１に開示されているように、先端に薬剤吐出孔が形成されたプラスチックシリンダーを備えると共に当該シリンダー内に設けた押し込み棒（ピストン）を、シリンダー先端に向かって押し込む形式を採用しており、シリンダーの先端に設けられた薬剤吐出孔から、流動性薬剤を流出させるようにしたものである。
【先行技術文献】
【特許文献】
【０００５】
【特許文献１】特開２０１４−００４３０９号公報
【発明の概要】
【発明が解決しようとする課題】
【０００６】
従来から知られている薬剤注入器具は、上記のように、いわゆるシリンジタイプのものであり、使用者が自らの膣や肛門といった体腔に流動性薬剤を注入する際の操作性があまり良くないという問題があった。そこで、流動性薬剤が貯留される貯留容器に体内挿入用の挿入部を接続して、貯留容器の周面部を握って圧縮し、内部に貯留される流動性薬剤を搾り出すようにして挿入部から吐出するタイプの薬剤注入器具の開発が検討されていた。
【０００７】
しかしながら、このタイプの薬剤注入器具は、使用者が、貯留容器を圧縮して流動性薬剤の注入を完了させた後、貯留容器に対する圧縮力を開放した際に、圧縮変形された貯留容器が自らの弾性復元力によって元の形状（膨らんだ状態）に戻ってしまい、吐出された流動性薬剤が挿入部に逆流してしまうことが懸念され、更なる改良が望まれていた。
【０００８】
本発明は、かかる問題を解決すべくなされたものであって、吐出された流動性薬剤が逆流することを効果的に防止することができる薬剤注入器具を提供することを目的とする。
【課題を解決するための手段】
【０００９】
本発明の上記目的は、体内に流動性薬剤を注入する薬剤注入器具であって、一方端側から体内に挿入される長尺状の挿入部と、前記挿入部の他方端部に接続可能な口部を先端に有し、流動性薬剤が貯留される貯留容器と、前記挿入部の他方端部側に基端部が設けられ、前記貯留容器に沿って伸びると共に前記貯留容器に接近離間する方向へ変位可能な押圧板を、前記貯留容器を挟んだ両側に一対備える押圧手段と、前記一対の押圧板と前記貯留容器との間に配置され、かつ、前記貯留部の側面部を挟持する一対の挟持片を有するホルダー部と、前記挿入部の内部に形成され、前記貯留容器から押し出された流動性薬剤が導かれる薬剤流路部と、前記薬剤流路部及び外部を連通する薬剤吐出孔とを備えており、前記一対の押圧板を、前記貯留部に近接する方向に変位させ、前記一対の挟持片を介して前記貯留容器に貯留される流動性薬剤を前記薬剤吐出孔から外部に吐出させた際に、前記一対の押圧板同士の離間を規制する押圧板離間規制手段を備えることを特徴とする薬剤注入器具により達成される。
【００１０】
この薬剤注入器具において、前記ホルダー部は、前記貯留容器の底部側に配置され、前記各挟持片の一方端が接続される接合部を備えており、前記押圧板離間規制手段は、前記各押圧板に設けられる押圧板係合部と、前記接合部に設けられる接合部係合部とを備えており、前記押圧板係合部と前記接合部係合部との係合によって、前記一対の押圧板同士の離間を規制するように構成することができる。
【００１１】
また、前記押圧板係合部は、前記押圧板に形成される貫通孔であり、前記接合部係合部は、前記貫通孔に挿入されて係着される係着爪を備えるように構成してもよい。
【００１２】
また、前記薬剤流路部は、前記挿入部の他方端部で開口し、前記貯留容器の口部に接続可能な開口端部を備えており、前記貯留容器の口部に前記薬剤流路部の開口端部が接続されていない未接続位置と、前記口部に前記薬剤流路部の開口端部が挿入されて接続する接続位置とを変更する位置可変手段を更に備えるように構成してもよい。
【００１３】
また、前記位置可変手段は、前記各挟持片から前記各押圧板に向けて突出する挟持片突起と、前記各押圧板に形成され、前記挟持片突起にマッチングする複数の位置決め孔とを備えており、前記各位置決め孔は、前記未接続位置及び前記接続位置のそれぞれに対応する位置に形成されるように構成してもよい。
【発明の効果】
【００１４】
本発明によれば、吐出された流動性薬剤が逆流することを効果的に防止することができる薬剤注入器具を提供することができる。
【図面の簡単な説明】
【００１５】
【図１】本発明に係る薬剤注入器具に関する概略斜視図である。
【図２】本発明に係る薬剤注入器具の長手軸に沿った断面を示す概略構成断面図である。
【図３】図２の矢視Ｅ方向から見た薬剤注入器具の底面図である。
【図４】本発明に係る薬剤注入容器に関する他の概略斜視図である。
【図５】（ａ）は、本発明に係る薬剤注入器具が備える挿入部及び貯留容器収納部の断面図であり、（ｂ）は、挿入部及び貯留容器収納部の側面図である。
【図６】本発明に係る薬剤注入器具が備えるホルダー部の断面図である。
【図７】本発明に係る薬剤注入器具の作用を説明するための説明図である。
【図８】本発明に係る薬剤注入器具の作用を説明するための説明図である。
【発明を実施するための形態】
【００１６】
以下、本発明に係る薬剤注入器具について添付図面を参照して説明する。図１は、本発明に係る薬剤注入器具３００の概略構成斜視図であり、図２は、本発明に係る薬剤注入器具３００の長手軸に沿った断面を示す概略構成断面図である。また、図３は、図２の矢視Ｅ方向から見た底面図である。なお、各図は、構成の理解を容易ならしめるために部分的に拡大・縮小している。
【００１７】
本発明に係る薬剤注入器具３００は、例えば、膣や肛門等の体腔内（体内）に流動性薬剤を注入するための器具である。流動性薬剤としては、多種多様な薬剤を用いることができるが、例えば、洗浄剤、避妊剤、麻酔剤、浣腸剤、解熱剤、潤滑剤等を挙げることができる。また、流動性薬剤の形態としては、ローション状、ジェル状、ゼリー状等種々の形態を採用することができる。
【００１８】
この薬剤注入器具３００は、図１や図２に示すように、貯留容器５１と、挿入部５２と、貯留容器収納部５３とを備え、図４の概略構成斜視図に示すように、貯留容器収納部５３内に配置される貯留容器５１の周面部を一対の押圧板５４及びホルダー部５５を介して圧縮し、内部の流動性薬剤を搾り出すようにして挿入部５２から吐出するタイプの注入器具として構成されている。ここで、挿入部５２や貯留容器収納部５３、ホルダー部５５は、プラスチック樹脂原料から形成されることが好ましい。
【００１９】
貯留容器５１は、可撓性を有する容器であり、内部に流動性薬剤が貯留される貯留部を備えている。また、この貯留容器５１は、流動性薬剤が流出する口部５６を先端に備えている。貯留容器５１は、当該口部５６を介して挿入部５２の他方端部に接続可能に構成されている。口部５６には天シールが接着されており、挿入部５２と接続していない状態においては、内部の流動性薬剤が口部５６を介して外部に流出しないように構成されている。また、貯留容器５１を構成する素材については、貯留容器５１自身が可撓性を有し、周面部を圧縮変形させて、内部の流動性薬剤を口部５６を介して外部に流出できるような素材であれば特に限定されない。貯留容器５１としては、例えば、プラスチック樹脂原料を用いたブロー成形チューブや押し出し成形チューブを好適に使用することができる。
【００２０】
挿入部５２は、その先端側５２ａから人体の膣や肛門といった体腔内（体内）に挿入されるものであり、図５（ａ）の断面図や、図５（ｂ）の側縁図に示すように、体内への挿入方向に沿って伸びる長尺状に形成されている。この挿入部５２の長さとしては、例えば、本薬剤注入器具３００を膣内の洗浄用として構成する場合には、５０ｍｍ〜１００ｍｍの範囲に設定することが好ましい。挿入部５２の他方端部には、貯留容器収納部５３が一体的に形成されている。挿入部５２の先端部は、体内への挿入時に使用者に痛みを感じさせないように、滑らかな曲面を有するドーム状に形成されている。また、挿入部５２は、横断面が円形となるように形成されている。なお、図５（ｂ）は、図５（ａ）における矢視Ｆ方向から見た側面図である。
【００２１】
また、挿入部５２は、図２や図５に示すように、貯留容器５１（貯留部）から押し出された薬剤が導かれる薬剤流路部５７と、薬剤流路部５７及び外部を連通する薬剤吐出孔５８とを備えている。薬剤流路部５７は、挿入部５２の内部に形成されている。この薬剤流路部５７は、挿入部５２の長手方向に沿って伸びるように形成されており、挿入部５２の他方端部で開口する開口端部５９を備えている。なお、当該開口端部５９とは反対側の薬剤流路部５７の端部（挿入部５２の先端部側５２ａの端部）は、挿入部５２の内部においてその先端部近傍にまで伸びているが、挿入部５２の先端部において開口しないように構成されている。この薬剤流路部５７の開口端部５９は、少なくとも１以上の尖鋭な突起部６０を備え、貯留容器５１の口部５６に設けられる天シールに対して刺入可能に構成されている。
【００２２】
また、挿入部５２は、上述のように、薬剤流路部５７及び外部を連通する薬剤吐出孔５８を複数備えている。つまり、挿入部５２の側面部が、薬剤流路部５７に連通する複数の薬剤吐出孔５８を備えるように構成されている。このような薬剤吐出孔５８を備えることにより、貯留容器５１を圧縮することにより、流動性薬剤は、貯留容器５１の口部５６、薬剤流路部５７、薬剤吐出孔５８を介して、挿入部５２の外側に導かれることとなる。なお、薬剤吐出孔５８が配置される範囲は、挿入部５２の長手方向にみて、当該挿入部５２の先端部から中央部分近傍位置までの領域に設定することが好ましい。より具体的には、例えば、本薬剤注入器具３００を膣内の洗浄用として構成する場合には、挿入部５２の長手方向に沿って、その先端部からの寸法が、３０ｍｍ〜６０ｍｍ程度の範囲までの領域に複数の薬剤吐出孔５８を形成することが好ましい。
【００２３】
ここで、本実施形態においては、薬剤流路部５７の軸線が、挿入部５２の軸線上に重ならないように薬剤流路部５７を形成し、挿入部５２の内部に形成される薬剤流路部５７と、挿入部５２の外表面との距離をできるだけ近づけるように構成されている。このような位置に薬剤流路部５７を形成することにより、薬剤吐出孔５８の長さを短く構成することができ、薬剤吐出孔５８の内部を通過する流動性薬剤が詰まることを効果的に防止することができる。更に、薬剤吐出孔５８の内部に残留して外部に吐出されない流動性薬剤の量を少なくさせることが可能となる。
【００２４】
各薬剤吐出孔５８は、前記挿入部５２の長手方向に沿って、所定間隔あけて配置されている。このように、挿入部５２の側面部に薬剤吐出孔５８を複数設けることにより、膣や肛門といった体腔の内側の広い範囲に薬剤を迅速に塗布することが可能となる。また、体内への流動性薬剤の注入を完了し、挿入部５２を体内から抜き出す際に、この抜き出される挿入部５２の表面によって、体内にある流動性薬剤をぬり拡げることが可能となり、膣や肛門といった体腔の内側のより広い範囲に薬剤を迅速に塗布することが可能となる。また、抜き出される挿入部５２の表面は、流動性薬剤が付着して湿潤な状態となるため、挿入部５２を体内から抜き出す際の使用者に与える痛みを緩和させることができる。
【００２５】
また、本実施形態においては、薬剤流路部５７を流通する流動性薬剤の流下方向に向かうに従い、各薬剤吐出孔５８の孔径が段階的に大きくなるように構成されている。本実施形態においては、挿入部５２の他方端部側から先端部側に向かって流動性薬剤が薬剤流路部５７を流下しつつ、各薬剤吐出孔５８から吐出される構成であるため、薬剤吐出孔５８ａ、薬剤吐出孔５８ｂ、薬剤吐出孔５８ｃ、薬剤吐出孔５８ｄの順に、その孔径が徐々に大きくなるように構成されている。全ての薬剤吐出孔５８の孔径を同一に構成した場合、圧力損失の影響により、薬剤流路部５７の下流側に配置される薬剤吐出孔５８ｄから流動性薬剤が吐出されにくくなるおそれがあるが、上述のように、薬剤流路部５７を流通する流動性薬剤の流下方向に向かうに従い、各薬剤吐出孔５８の孔径が段階的に大きくなるように構成することにより、各薬剤吐出孔５８から吐出される流動性薬剤の量を均等に維持させることが可能となり、膣や肛門といった体腔の内側の広い範囲に亘って、流動性薬剤を均等に塗布することが可能となる。なお、必ずしも、薬剤流路部５７を流通する流動性薬剤の流下方向に向かうに従って、各薬剤吐出孔５８の孔径を段階的に大きくする必要はなく、各薬剤吐出孔５８の孔径を同一寸法となるように構成してもよい。
【００２６】
また、本実施形態においては、孔径を段階的に大きくする形成する際に、挿入部５２の長手方向に沿う方向の径を順次拡大するように構成し、挿入部５２の長手方向に対して垂直な方向の径が全ての薬剤吐出孔５８において同一となるように構成している。つまり、薬剤吐出孔５８ａは、円形の孔として構成し、薬剤吐出孔５８ｂ，５８ｃ，５８ｄについては長軸方向が挿入部５２の長手方向となる長孔として構成している。このような孔構成を採用することにより、上述の各薬剤吐出孔５８から吐出される流動性薬剤の量を均等に維持させることを可能とするという効果を得つつ、膣や肛門といった体腔の内側の体腔深さ方向に沿う方向に広く各薬剤吐出孔５８から流動性薬剤を吐出することが可能となり、より一層、広い範囲で体腔の内側に薬剤を塗布することが可能となる。
【００２７】
また、本実施形態においては、薬剤吐出孔５８を挿入部５２の先端部に設けないように構成しているが、このような構成に限定されず、薬剤吐出孔５８を挿入部５２の先端部に設けるように構成してもよい。
【００２８】
また、薬剤流路部５７の開口端部５９は、尖鋭な突起部６０を備えるように構成されている。この突起部６０の形態としては、貯留容器５１の口部５６に設けられる天シールを突き破ることができる形態であれば特に限定されない。例えば、貯留容器収納部５３内に露出する筒状の突起部６０を斜めに成形して構成される竹槍形状に形成してもよい。また、突起部６０としては、開口端部５９に設けられるギザギザ状の突起物として構成してもよい。
【００２９】
上述のように、薬剤流路部５７の開口端部５９が尖鋭な突起部６０を備えることにより、貯留容器５１の口部５６を挿入部５２の他方端側５２ｂに押し込んでセットするという動作だけで、薬剤流路部５７の開口端部５９が天シールに刺入され（開口端部５９が天シールを突き破って）、貯留容器５１（貯留部）と薬剤流路部５７とを連通させることが可能になる。また、このような構成により、使用者が、手指で貯留容器５１の口部５６に設けられる天シールを剥がす必要が無く、更に、使用者が薬剤注入器具３００を実際に使用する直前まで、流動性薬剤が貯留される貯留容器５１の密閉状態を維持することが可能となるため、薬剤注入器具３００を衛生的に好ましい状態で使用することが可能となる。
【００３０】
貯留容器収納部５３は、挿入部５２の他端部側５２ｂに設けられる部材であり、図２や図５に示すように、挿入部５２の他端部に接続される貯留容器５１の周囲を囲む周壁部６１を備えて構成されている。この貯留容器収納部５３の一方端は、滑らかな曲面構造を有しており、挿入部５２の他端部側表面に接合している。また、貯留容器収納部５３の他方端側５３ｂは、開口しており、この開口を介して、貯留容器５１及び後述のホルダー部５５を、貯留容器収納部５３の内側空間に挿入できるように構成されている。
【００３１】
貯留容器収納部５３の周壁部６１は、図１の斜視図や図３の底面図に示すように、挿入部５２の長手方向に対して垂直な断面視において略矩形状となっており、４面の壁部６２を備える形態として構成されている。この４面の壁部６２の内の２面であって互いに対向する一対の壁部６２に関し、各壁部６２の一部分は、貯留容器５１に接近離間する方向へ変位可能な押圧板５４を構成する。この一対の押圧板５４が、貯留容器５１を押圧変形させるための押圧手段となる。各押圧板５４は、挿入部５２の長手方向に沿う２つのスリット６３を所定間隔あけて壁部６２に形成することにより構成される。各スリット６３は、壁部６２の他方端（貯留容器収納部５３の開口端）に接続するように形成されており、２つのスリット６３で挟まれる壁部６２の部分が、押圧板５４を構成する。このような構成により、各押圧板５４は、貯留容器５１の長さ方向に沿って伸びるように形成され、挿入部５２の他方端部側５２ｂに配置される基端部を支点として、貯留容器５１に接近離間する方向へ変位することが可能となる。
【００３２】
また、本実施形態においては、貯留容器５１を貯留容器収納部５３の内部において支持するホルダー部５５を更に備えている。このホルダー部５５は、プラスチック樹脂原料から形成されることが好ましい。ホルダー部５５は、上述の一対の押圧板５４と貯留容器５１との間に配置され、かつ、貯留容器５１の側面部を挟持する一対の挟持片６４を有している。また、ホルダー部５５は、貯留容器５１の底部側に配置され、各挟持片６４の一方端が接続される接合部６５を備えている。
【００３３】
各挟持片６４は、所定の厚さを有しており、貯留容器収納部５３内に設置された状態において、貯留容器５１の側面に接する第１の面６６と、押圧板５４に接する第２の面６７とを備えている。各挟持片６４に関し、貯留容器５１の側面に接する第１の面６６は、貯留容器５１の側面の広い範囲に亘って接する大きさに形成されている。また、図６の断面図に示すように、互いに対向する一対の挟持片６４の対向面（互いに対向する第１の面６６同士）は、断面視において、接合部６５から離れるに従い、互いの距離が離間する略Ｖ字状に形成されており、ホルダー部５５は、その弾性変形により、接合部６５を支点として一対の挟持片６４が互いに接近離間する方向に変位可能に構成されている。
【００３４】
また、ホルダー部５５は、上記のように、貯留容器収納部５３の内部において貯留容器５１を支持する部材であるが、貯留容器５１の口部５６に薬剤流路部５７の開口端部５９が接続されていない未接続位置と、口部５６に薬剤流路部５７の開口端部５９が挿入されて接続する接続位置とを変更する位置可変手段６８を備えている。この位置可変手段６８は、各挟持片６４から各押圧板５４に向けて突出する挟持片突起６９と、各押圧板５４に形成され、挟持片突起６９にマッチングする複数の位置決め孔７０とを備えて構成されている。挟持片突起６９は、各挟持片６４の第１の面６６上に形成されている。各位置決め孔７０は、未接続位置及び接続位置のそれぞれに対応する位置に形成されている。なお、未接続位置に対応する位置決め孔７０ａと、接続位置に対応する位置決め孔７０ｂは、挿入部５２の長手方向に沿って所定間隔をあけて配置されている。このような位置可変手段６８を備えることにより、例えば、ホルダー部５５の一対の挟持片６４の間に貯留容器５１を介在させた状態で、上記未接続位置に対応する位置決め孔７０ａに挟持片突起６９が係合するまで、貯留容器収納部５３の他方端の開口から貯留容器収納部５３内に挿入させることにより、貯留容器５１の口部５６が薬剤流路部５７の開口端部５９に接続されていない状態で、貯留容器５１を貯留容器収納部５３内に支持することができる。一方、薬剤注入器具３００を使用するタイミングでは、図７に示すように、貯留容器収納部５３内のホルダー部５５を更に押し進めることにより、上記接続位置に対応する位置決め孔７０ｂに挟持片突起６９を係合させることにより、貯留容器５１の口部５６が薬剤流路部５７の開口端部５９に接続され連通した状態で、貯留容器５１を貯留容器収納部５３内で支持することが可能となる。
【００３５】
また、本実施形態にかかる薬剤注入器具３００は、上記一対の押圧板５４を貯留容器５１に接近させる方向に変位させ、一対の挟持片６４を介して貯留容器５１を圧縮させることにより、該貯留容器５１に貯留される流動性薬剤を薬剤吐出孔５８接近から外部に吐出させた際に、一対の押圧板５４同士の離間を規制する押圧板離間規制手段７１を備えるように構成されている。このような押圧板離間規制手段７１を備えることにより、使用者が薬剤注入器具３００を使用して、貯留容器５１に貯留される流動性薬剤の吐出を完了した後において、当該使用済みの薬剤注入器具３００を再使用することを効果的に防止することができる。また、一対の押圧板５４が貯留容器５１から離間する方向に移動することが規制されることから、貯留容器５１が自身の弾性復元力によって膨らむことを確実に防止することができ、この結果、体内に注入された流動性薬剤が、薬剤吐出孔５８を介して挿入部５２内部に逆流することを効果的に防止することが可能となる。
【００３６】
ここで、一対の押圧板５４同士の離間を規制する押圧板離間規制手段７１の構成については、種々の構成を採用することができるが、例えば、図５に示される各押圧板５４に設けられる押圧板係合部７２と、図３や図６に示される接合部６５に設けられる接合部係合部７３とを備え、これら押圧板係合部７２と接合部係合部７３との係合によって、一対の押圧板５４同士の離間を規制するように構成することができる。図５においては、押圧板係合部７２を、押圧板５４に形成される貫通孔により構成している。また、接合部係合部７３は、図３に示されるように、当該貫通孔に挿入されて係着される一対の係着爪により構成されている。
【００３７】
各係着爪（接合部係合部７３）は、貫通孔の孔縁に係合する外向きの爪部７４を先端部に一体的に備えている。各係着爪は、挿入部５２の長手方向に対して垂直な方向であり、かつ、押圧板５４に対向する方向に伸びるように形成されている。また、各係着爪（接合部係合部７３）の先端側には、傾斜案内面７５がそれぞれ設けられており、押圧板５４の貫通孔（押圧板係合部７２）に挿入される際に、傾斜案内面７５が貫通孔の孔縁に当接しつつ、一対の係着爪同士が互いに接近する方向に撓み、先端部の爪部７４が貫通孔を容易に通過できるように構成される。先端部の爪部７４が貫通孔を通過した後は、係着爪の弾性復元力により、係着爪同士が離間し、先端部の爪部７４が貫通孔の孔縁に係合することにより、図８に示すように、押圧板５４が元の位置に戻ることができないように構成される。
【００３８】
このような押圧板離間規制手段７１を備えることにより、上述の薬剤注入器具３００の再使用防止や流動性薬剤の逆流防止の効果に加えて、使用者に、流動性薬剤の注入が完了したことを明確に知らせることが可能になる。具体的に説明すると、係着爪（接合部係合部７３）と貫通孔（押圧板係合部７２）との嵌合時に音が発生することにより、この音を頼りに、一対の押圧板５４の押し込み量に関し、これ以上は押し込まなくていいことを知らせることができる。また、係着爪（接合部係合部７３）と貫通孔（押圧板係合部７２）との嵌合時の振動が手指に直接的に伝わるため、仮に、上記音が聞こえなかったとしても、この手指の振動を介して、一対の押圧板５４の押し込み量の最終位置（押圧板５４同士の近接量に関する最終位置）を知らせることが可能になり、その結果、流動性薬剤の注入が完了したことを使用者に対して明確に知らせることが可能になる。
【符号の説明】
【００３９】
３００  薬剤注入器具
５１  貯留容器
５２  挿入部
５３  貯留容器挿入部
５４  押圧板
５５  ホルダー部
５６  口部
５７  薬剤流路部
５８  薬剤吐出孔
５９  開口端部
６０  突起部
６１  周壁部
６２  壁部
６３  スリット
６４  挟持片
６５  接合部
６６  第１の面
６７  第２の面
６８  位置可変手段
６９  挟持片突起
７０  位置決め孔
７１  押圧板離間規制手段
７２  押圧板係合部
７３  接合部係合部
７４  爪部
７５  傾斜案内面
【図１】
2020103803.tif 000003
【図２】
2020103803.tif 000004
【図３】
2020103803.tif 000005
【図４】
2020103803.tif 000006
【図５】
2020103803.tif 000007
【図６】
2020103803.tif 000008
【図７】
2020103803.tif 000009
【図８】
2020103803.tif 000010